(57)【特許請求の範囲】
【請求項１】
内部に剪断減粘性を有するインキと該インキの後部にインキの消費と共に追従するグリース状のフォロアを直詰めした軸筒の先端部に、ボールを回転自在に設けたボールペンチップの後端部を直接またはボールペンチップを先端部に装着したチップホルダーの後端部を圧入嵌合してなるボールペンにおいて、前記圧入嵌合部より少なくとも先端側のボールペンチップまたはチップホルダーの後端部と該後端部に対向した軸筒の先端部の部分に、非圧入嵌合部を有するとともに、前記ボールペンチップまたはチップホルダーの後端部に第一凸部を設け、軸筒の先端部に前記第一凸部に対向する第二凸部を設け、前記第一凸部と第二凸部を乗り越し嵌合させたことを特徴とするボールペン。
【請求項２】
前記非圧入嵌合部が、軸筒の先端部とチップまたはチップホルダーの後端部との間隙による空間部であることを特徴とする請求項１に記載のボールペン。
【請求項３】
前記軸筒の先端部が、軸筒の先端に向って縮径する先細状にしたことを特徴とする請求項１ないし２のいずれか１項に記載のボールペン。
【発明の詳細な説明】
【０００１】
【発明の属する技術分野】
本発明は、軸筒内に、剪断減粘性を有するインキと該インキの後部にインキの消費と共に追従するグリース状のフォロアを直詰めしてなるボールペンに関する。
【０００２】
【従来の技術】
従来、軸筒内にインキを直接収納した直詰めタイプのボールペンとして、水性インキボールペンは良く知られている。最近では、軸筒内に、剪断減粘性を有するインキと該インキの後部にインキの消費と共に追従するグリース状のフォロアを直詰めしてなるボールペンも商品として提供されている。
【０００３】
【発明が解決しようとする課題】
剪断減粘性を有するインキとグリース状のフォロアを軸筒内に直詰めしてなるボールペンの構造は、ほとんどのものが合成樹脂からなる軸筒の先端部に、ボールを回転自在に設けたボールペンチップの後端部をまたはボールペンチップを先端部に装着したチップホルダーの後端部を圧入嵌合により装着してなるものである。
【０００４】
ところで、図５に示すように、従来の軸筒内に剪断減粘性を有するインキを直詰めしたボールペン４１は、チップホルダー４６の後端部４７を、軸筒４２の先端部４４に装着する際は、軸筒内壁４５とチップホルダー４６の後端部４７を圧入して圧入嵌合部Ｈを形成し、さらにチップホルダー４６が容易に抜け落ちせずにしっかりと固定するために強圧入としてあるので、軸筒の先端部４４には常に内部応力が発生している。また、軸筒の先端開口部４３及びその近傍は、筆記時の筆圧によっても応力が大きく加わってしまう。こうした応力が加わることによって軸筒の先端部にクラックが発生する問題があった。特に、軸筒の先端部４４を先細状とし、筆記時のボールペンチップ１０やボール１１の筆記先端部を見易くした構造の軸筒においては、軸筒の先端開口部４３における肉厚は、他の軸筒の先端部４４の肉厚に比べ薄くなっているため、クラックが発生しやすいという問題があった。
【０００５】
前記問題を解消するには、軸筒とボールペンチップまたはチップホルダーの後端部との圧入力を低く設定し、材質の特性により抜け落ちし難いようにする等、軸筒とボールペンチップまたはチップホルダーの材質を選択して用いたり、あるいは接着や溶着等、固着するなどの対応策が考えられるが、軸筒を形成している樹脂とチップホルダーを形成している樹脂との相性を考慮しなければならないという問題や製造コストがアップしてしまうという問題がある。
【０００６】
本発明はこうした問題に鑑み、本発明はこうした問題に鑑み、軸筒やボールペンチップまたはチップチップホルダーを特定の材質で形成するのではなく、簡単な構造でかつ従来から用いている材質で形成可能で、軸筒先端にクラックの発生し難い、軸筒内に剪断減粘性を有するインキとグリース状のフォロアを直詰めしたボールペンを得ることにある。
【０００７】
【課題を解決するための手段】
本発明は、内部に剪断減粘性を有するインキと該インキの後部にインキの消費と共に追従するグリース状のフォロアを直詰めした軸筒の先端部に、ボールを回転自在に設けたボールペンチップの後端部を直接またはボールペンチップを先端部に装着したチップホルダーの後端部を圧入嵌合してなるボールペンにおいて、前記圧入嵌合部より少なくとも先端側のボールペンチップまたはチップホルダーの後端部と該後端部に対向した軸筒の先端部の部分に、非圧入嵌合部を有するとともに、前記ボールペンチップまたはチップホルダーの後端部に第一凸部を設け、軸筒の先端部に前記第一凸部に対向する第二凸部を設け、前記第一凸部と第二凸部を乗り越し嵌合させたことを特徴とする。
【０００８】
また、前記非圧入嵌合部が、軸筒の先端部とチップまたはチップホルダーの後端部との間隙による空間部であることを特徴とする。
【０００９】
また、前記軸筒の先端部が、軸筒の先端開口部に向って徐々に縮径する先細状にしたことを特徴とする。
【００１１】
本発明のボールペンチップまたはチップホルダーの後端部と該後端部に対向した軸筒の先端部の部分における非圧入部とは、ボールペンチップまたはチップホルダーの後端部と軸筒の先端部との間隙が零以上であることをいう。
【００１２】
【発明の実施の形態】
本発明の実施の形態を図面を用いて説明する。同じ部材、同じ箇所を示すものは同じ符号を付す。本発明の実施の形態では、キャップについての説明を省略しているが、本発明がキャップを有さない構造のボールペンに特定するものではない。
図１から３に示す第１の実施の形態を示すボールペン１は、チップホルダー６をポリアセタール、ポリプロピレン等の樹脂で、軸筒２をポリプロピレン、アクリルニトリルスチレン等の樹脂で透明に形成する。後端部７は小径としたチップホルダー６には嵌着孔８を設けてあり、該嵌着孔８には、先端にボール１１を回転自在に設けたボールペンチップ１０を挿着してある。また、嵌着孔８は後端に開口したインキ通路９が連通している。軸筒２の後端には、空気流通路１２ａを有する尾栓１２を装着してある。
【００１３】
軸筒２の先端部４は軸筒の先端開口部３に向って縮径する先細状としてあり、軸筒２にチップホルダー６の後端部７を装着する際は、チップホルダーの後端部７を軸筒２の先端部４に形成した内径Ｎがチップホルダーの後端部外径Ｍより小径の凸部５に圧入嵌合させて圧入嵌合部Ｈを形成する。軸筒の先端部４は、軸筒の先端開口部３に向って先細状としてあるため、先端開口部３における軸筒の肉厚Ｊは、他の軸筒の先端部４の肉厚Ｋに比べ薄くなっている。（Ｊ＜Ｋ）
【００１４】
また先端開口部３から凸部５までの内径Ｌを、チップホルダーの後端部７の外径Ｍより大きくする（Ｌ＞Ｍ）ことにより、軸筒の先端部４にチップホルダーの後端部を装着した際、先端開口部３から凸部５の手前まで、チップホルダーの後端部７に空間部１５が形成され、非圧入嵌合部Ｇができる。非圧入嵌合部Ｇを空間部１５によって形成することにより、筆記による応力を防止し易くなるので好ましい。
【００１５】
図４に示す第２の実施の形態のボールペン２１は、軸筒２２の先端部２４にチップホルダー２６を装着する際、チップホルダーの後端部２７を軸筒２２の先端部２４内に形成した内径がチップホルダーの後端部２７の外径より小径の凸部２５に圧入嵌合し、圧入嵌合部Ｈとしている。チップホルダーの後端部２に第一凸部２８を形成し、軸筒２２の先端部２４内に第二凸部２９を形成し、第一凸部２８と第二凸部２９とを乗り越し嵌合させている。そうした以外は、第１の実施の形態と同様にしてボールペン２１を得た。また、第２の実施の形態では、軸筒の先端開口部２３から凸部２５の手前までの内径を、チップホルダーの後端部２７の外径より大きくするとともに、第一凸部２８及び第２凸部２９も圧入代がないように設定し、軸筒２２の先端部２４にチップホルダー２６を装着した際、先端開口部２３から凸部２５の手前まで、チップホルダー２６の後端部２７に空間部３５を形成することにより非圧入嵌合部Ｇを形成してある。
【００１６】
チップホルダーを圧入嵌合及び乗越し嵌合することにより、圧入嵌合のみの場合より抜け難くなるので、圧入嵌合の圧入力を弱く設定しても容易に抜け落ちすることがないので、より装着による応力を減少させることができる。
【００１７】
本発明における圧入嵌合部の形成箇所は特に限定されるものではないが、前述したように、先端開口部及びその近傍に応力が加わり易いので、先端開口部から離れた箇所に形成することが好ましい。
【００１８】
【発明の効果】
本発明の剪断減粘性を有するインキとグリース状のフォロアを直に収容したボールペンは前述したような構造なので、軸筒やボールペンチップまたは／およびチップチップホルダーを特定の材質で形成するのではなく、簡単な構造でかつ従来から用いている材質で形成可能で、軸筒先端にクラックの発生し難い、軸筒内に剪断減粘性を有するインキとグリース状のフォロアを直詰めしたボールペンを得ることができた。
【図面の簡単な説明】
【図１】本発明の第１の実施の形態を示す、ボールペンの縦断面図である。
【図２】図１における要部の拡大断面図である。
【図３】図１における軸筒とチップホルダーの装着前の要部拡大断面図である。
【図４】本発明の第２の実施の形態を示す、ボールペンの要部拡大断面図である。
【図５】従来例のボールペンの要部拡大断面図である。
【符号の説名】
１  ボールペン
２，２２，４２  軸筒
３，２３，４３  軸筒先端
４，２４，４４  軸筒の先端部
５，２５，  凸部
６，２６，４６  チップホルダー
７，２７，４７  後端部
８  嵌着孔
９  インキ流通孔
１０  ボールペンチップ
１１  ボール
１３  インキ
１４  フォロア
１５，３５  空間部
２８  第一凸部
２９  第二凸部
Ｇ  非圧入嵌合部
Ｈ  圧入嵌合部
【図１】
0004608115.tif 000002
【図２】
0004608115.tif 000003
【図３】
0004608115.tif 000004
【図４】
0004608115.tif 000005
【図５】
0004608115.tif 000006